Podtech/llm-jp-corpus-v4-ja_patent huggingface dataset:
(57)【要約】      （修正有）【課題】ロングネックレス等のチェーン状装身具であっても二連として装着可能なアジャスターを提供する。【解決手段】チェーン状装身具１に用いるアジャスターは、紐状部材の両端にリング状の留め具１３ａ、ｂを備えた第一部材１１と、紐状部材の一方端にカン１４を、他方端にリング状の留め具１３を備えた第二部材１２とにより成る。【選択図】図２
0003230357.tif 000002
【実用新案登録請求の範囲】
【請求項１】
紐状部材の両端にリング状の留め具を備えた第一部材と、
紐状部材の一方端にカンを、他方端にリング状の留め具を備えた第二部材と、
により成るチェーン状装身具に用いるアジャスター。
【考案の詳細な説明】
【技術分野】
【０００１】
本考案は、ネックレスやブレスレット等のチェーン状装身具に用いるアジャスターに関し、より詳しくはチェーン状の装身具を簡単に二連の装身具にすることが可能なアジャスターに関する。
【背景技術】
【０００２】
複数のネックレスを重ね付けして、オシャレを楽しむことが広く行われている。通常、ネックレスの外観は、チェーン状部材の形状や長さ等によって決まり、ペンダントトップを付けるか、付けないか程度の着用バリエ-ションしか選択できなかった。そのため、通常のネックレスを重ね付けして様々な着用バリエーションを楽しむためには、複数本のネックレスを用意する必要があり、費用が嵩んでしまうという問題があった。
【０００３】
このような問題に対して、一連のチェーン状装身具を二連のチェーン状装身具に変更可能な装身具が提案されている（特許文献１）。この特許文献１には、ネックレス部材及びブレスレッド部材の各開放された端部同士を連結させることで、一連のネックレスやブレスレット等のチェーン状装身具とすることも、二連のネックレスやブレスレット等のチェーン状装身具とすることも可能とした考案が開示されている。
【０００４】
ところで、近年、二連ネックレスを装着する者も増えている。この二連ネックレスは、長尺と短尺の二本のネックレスの両端部を、二連ネックレス用の留め具の両端に接続するものが汎用である。
【先行技術文献】
【特許文献】
【０００５】
【特許文献１】登録実用新案公報３０５０１３７号
【考案の開示】
【考案が解決しようとする課題】
【０００６】
ロングネックレスのような長尺のチェーン状装身具であっても、二重巻にすることで二連のネックレスとして使用することは、長さが足りず困難である。そこで本考案は、ロングネックレス等のチェーン状装身具であっても二連として装着可能なアジャスターを提供することを目的とする。
【課題を解決するための手段】
【０００７】
上記課題を解決する本考案の構成は、以下の通りである。
【０００８】
紐状部材の両端にリング状の留め具を備えた第一部材と、紐状部材の一方端にカンを、他方端にリング状の留め具を備えた第二部材とにより成るチェーン状装身具に用いるアジャスター。
【考案の効果】
【０００９】
上記のように構成される本考案が、如何に作用して課題を解決するかを図２及び図３を参照しながら概説する。
【００１０】
図２及び図３においては、チェーン状装身具１としてネックレスを作図してある。図２に示すように、装着時に二連として不自然とならないネックレスの位置に、第一部材１１と第二部材１２を取り付ける。
【００１１】
取付方法は、第一部材１１の場合は、その一方端部に存する留め具１３ａに、チェーン状装身具１を構成するチェーンを取り付ける。第二部材１２の場合は、その一方端部に存する留め具１３に、チェーン状装身具１を構成するチェーンを取り付ける。
【００１２】
かかる状態で、第一部材１１の他方端部に存する留め具１３ｂと、第二部材１２の他方端部に存するカン１４を、着用者の首の後ろで連結することで、図３に示す二連のネックレスとなすことが可能となるのである。
【図面の簡単な説明】
【００１３】
【図１】本考案に係るアジャスターの正面図
【図２】チェーン状装身具を二連にする過程を示す説明図
【図３】チェーン状装身具を二連にする過程を示す説明図
【考案を実施するための形態】
【００１４】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００１５】
図１に示すように、本考案に係るアジャスタ１０は、紐状部材１５の両端にリング状の留め具１３,１３を備えた第一部材１１と、紐状部材１６の一方端にカン１４を、他方端にリング状の留め具１３を備えた第二部材１２とにより構成される。
【００１６】
紐状部材１５及び紐状部材１６としては、図１においてはチェーンを使用しているが、他にもワイヤ、紐、糸等を用いることが出来る。
【００１７】
留め具１３としては、図１においては引き輪を使用しているが、他にもカニカン等の一般に使用される開閉フック式連結部材を用いることが出来る。
【００１８】
留め具１３は、図１に示すように、接続環１３ｂによって紐状部材１６に揺動自在に連結されている。
【００１９】
また、留め具１３は摘まみ１３ｄを操作することで、環状本体１３ｅ内を摺動する内側金具１３ｃを移動させることが可能となり、開閉部１３ｆが開閉自在となるものである。
【００２０】
この内側金具１３ｃをチェーン状装身具１を構成するチェーンに引っ掛けることでアジャスタ１をチェーン状装身具１に取り付けるものである。
【００２１】
紐状部材１６の一方端に揺動自在に連結されるカン１４は、丸カン、Ｃカン、三角カン、だるまカン等の一般に使用される連結部材を用いることが出来る。
【００２２】
カン１４と留め具１３の連結方法は、開閉部１３ｆを開放した状態でカン１４と環状本体１３ｅを係止し、次いで開閉部を閉じて、カン１４が環状本体１３ｅから外れないようにするものである。
【符号の説明】
【００２３】
１・・チェーン状装身具
１０・・アジャスター
１１・・第一部材
１２・・第二部材
１３・・留め具
１３ｂ・・接続環
１３ｃ・・内側金具
１３ｅ・・環状本体
１３ｄ・・摘まみ
１３ｆ・・開閉部
１４・・カン
１５・・紐状部材
１６・・紐状部材
【図１】
0003230357.tif 000003
【図２】
0003230357.tif 000004
【図３】
0003230357.tif 000005
(57)【要約】      （修正有）【課題】爪先立ちを行う際に踵の下から圧縮コイルばねで踵を押し上げて、爪先立ち運動を促通するように工夫した爪先立ち促通運動器を提供する。【解決手段】基盤１上に足指設置板２と足底面設置板３を設け、足指設置板２は５本の足指の並びに合うように奥行幅を広くし、足底面設置板の裏面には圧縮コイルバネ４を設置し、足指設置板２と足底面設置板３の表面には取り外し可能な皮膚表面刺激と滑り止めのための凹凸物シールを貼付し、基盤は底面が滑らない様に基盤の裏面には滑り止めラバー５を全面に貼った。【選択図】図１
0003230391.tif 000002
【実用新案登録請求の範囲】
【請求項１】
基盤（１）上に足指設置板（２）と足底面設置板（３）を設け、足指設置板（２）は５本の足指の並びに合うように奥行幅を広くし、足底面設置板の裏面には圧縮コイルバネ（４）を設置し、足指設置板（２）と足底面設置板（３）の表面には取り外し可能な皮膚表面刺激と滑り止めのための凹凸物シールを貼付し、基盤は底面が滑らない様に基盤の裏面には滑り止めラバー（５）を全面に貼ったことを特徴とする爪先立ち促通運動器。
【考案の詳細な説明】
【技術分野】
【０００１】  本考案は、基盤上に設置した足指設置板と足底面設置板に足指と足底面を置き、足底面設置板の裏面には圧縮コイルバネを設置し、爪先立ちを行う際に踵の下から圧縮コイルばねで踵を押し上げて、爪先立ち運動を促通するように工夫した爪先立ち促通運動器に関するものである。
下腿三頭筋の筋力が脆弱な虚弱者には、圧縮コイルばねの圧縮に対する反力が爪先立ち運動に補助的に働き、促通的な筋力強化運動ができる爪先立ち促通運動器に関するものである。
【背景技術】
【０００２】  従来、起立姿勢で平坦な床や板の上で下肢の各関節を他動的、又は自動的に屈伸させる様な運動方法やそれを行う運動機器があった。
また、医療機器やリハビリテーション関連機器としてコンピューター内臓のものが存在した。
このような機器は、使用操作が煩雑で又高額な機器が多く、さらに機器が大きく設置には広い場所を必要とした。特定の研究機関や大学病院などに設置されているのみで、一般病院や学校などではほとんど設置されていない。
従来、下腿三頭筋の筋力強化運動には爪先立ち運動が推奨されてきた。
爪先立ち運動は床上での起立位から踵を拳上させるまでの運動である。
しかし、下腿三頭筋の筋力が脆弱な虚弱者は自力で踵を浮かせるための筋力が不足していて爪先立ち運動が実施出来ないことが見受けられた。
【考案の概要】
【考案が解決しようとする課題】
【０００３】  これは、次のような欠点があった。
（イ）従来、スポーツや医療の分野で用いられているこれに類するものは、この運動を実施するための前提として、下腿三頭筋の筋力が踵を拳上させるための筋力が元々有しているヒトが対象で、踵を拳上させるための筋力を有していないヒトにおいては爪先立ち練習そのものが出来なかった。
踵の裏面に設置された圧縮コイルバネの強度を取り換えることで筋力の脆弱なヒトの対象幅も広く対応できる。
下腿三頭筋の虚弱者の爪先立ち運動を極めて簡易な運動器で改善可能とした。
（ロ）従来これらの練習器は、椅子型練習器に座位で下肢各部を固定して下腿三頭筋だけを強化するために足関節を底屈させる仕様のものであった。
今回、考案した爪先立ち促通運動器は、この問題を解決するために立位で使用可能とし、自重に対する抗重力位での筋力強化を促通させる方法での運動器である。
立位での使用で自重に対する抗重力運動を行える運動器はこれまで見られなかった。
これらの事実を解決し、運動器の製作を簡易なものとし、また安価とした。製作用の材料は、木や合成樹脂など加工し易い物を適宜採用できる。
本考案は、これらの欠点を除くためになされたものである。
人の下肢の筋肉の強化運動をするには、高価な測定機器を所有しなければならず、また、コンピューター内臓の運動機器が多いため操作に要する設定や方法が煩雑であった。
さらに運動機器が大きく設置や扱いに困難な場合があった。
本考案は、これらの課題を解消するためになされたものである。
【課題を解決するための手段】
【０００４】  基盤（１）上に足指設置板（２）と足底面設置板（３）を設け、足指設置板（２）は５本の足指の並びに合うように奥行幅を広くし、足底面設置板の裏面には圧縮コイルバネ（４）を設置し、足指設置板（２）と足底面設置板（３）の表面には取り外し可能な皮膚表面刺激と滑り止めのための凹凸物シールを貼付し、基盤は底面が滑らない様に基盤の裏面には滑り止めラバー（５）を全面に貼ったことを特徴とする爪先立ち促通運動器。
【考案の効果】
【０００５】（イ）廉価で、また、携帯可能である上に異なる肢位や体位の場面に応じることができる。
（ロ）下肢に変形性関節症等の疾患を持つ患者にも座位での運動で適応できる。
（ハ）さらに立位バランスの不良な患者にも上肢での掴まり枠（手すり）等を横に設置することで使用可能である。
【図面の簡単な説明】
【０００６】
【図１】  本考案の斜視図である。
【図２】  本考案の側面図である。
【図３】  本考案の平面図である。
【考案を実施するための形態】
【０００７】  基盤（１）上に足指設置板（２）と足底面設置板（３）を設ける。
足指設置板（２）は５本の足指の並びに合うように奥行幅を広くする。
足底面設置板の裏面には圧縮コイルバネ（４）を設置する。
足指設置板（２）と足底面設置板（３）の表面には取り外し可能な皮膚表面刺激と滑り止めのための凹凸物シールを貼付する。
基盤は底面が滑らない様に基盤の裏面には滑り止めラバー（５）を全面に貼る。
以上のように構成された爪先立ち促通運動器である。
本考案を使用する時には、両側の５本の足指と踵をそれぞれ左右の足指設置板（２）と足底面設置板（３）の上において起立する。
５本の足指はアーチの形状を呈している場合が多いので足指設置板（２）の上に足指を十分に載せて使用する。
【符号の説明】
【０００８】１  基盤
２  足指設置板
３  足底面設置板
４  圧縮コイルバネ
５  滑り止めラバー
【図１】
0003230391.tif 000003
【図２】
0003230391.tif 000004
【図３】
0003230391.tif 000005
(57)【要約】      （修正有）【課題】鋭く尖った先端部分による刺し傷などの傷害を低減することができる焼き鳥等に使用されている串を提供する。【解決手段】串３は、具材を刺す際には先端部分６は鋭く尖っているが、先端部分６を折るための切り込み４が設けられ、刺し終わった後には尖った先端部分６を手で簡単に取り除くことができる。取り除いた先端部分６を廃棄することに変わりは無いが、長いまま廃棄するよりは刺し傷の発生を低減できる。【選択図】図２
0003230361.tif 000002
【実用新案登録請求の範囲】
【請求項１】
具材を刺す際には先端部分は鋭く尖っているが、刺し終わった後には尖った先端部分を手で簡単に取り除くことができる串。
【考案の詳細な説明】
【技術分野】
【０００１】
本考案は、焼き鳥等で使われる串について、鋭く尖っている先端部分について考察したものである。
【背景技術】
【０００２】
一般に、焼き鳥等で使われる串の先端部分は鋭く尖っているために使用の際には食する時も含めて十分な注意が必要である。また、使用後に廃棄された串を回収する作業員が手先等に刺し傷を生じた場合の感染対策は特に重要な問題である。
【０００３】
しかしながら、具材を刺す際には串の先端部分は鋭く尖っている必要がある。
【０００４】
この改善策として、具材を刺す際には先端部分は鋭く尖っているが刺し終わった後には尖った先端部分が無くなる串を考案した。この先端部分には切り込みがあり、手で簡単に折って除くことができる。図１は既存の串を示すものである。図２はこの考案による安全串を示すための説明図である。
【図面の簡単な説明】
【０００５】
【図１】（図１−１，図１−２、図１−３）は既存の串について説明した図である。
【図２】（図２−１、図２−２、図２−３、図２−４、図２−５）は考案した串について説明した図である。
【考案を実施するための形態】
【０００６】
形態については、尖った先端部分を切り落とすための切り込み以外は従来どおりである。
【０００７】
材質については、使用目的に応じて既存の串と同じものとする。
【０００８】
図２は本考案品及び使い方を説明した図である。
【０００９】
このような安全串を使用することにより、鋭く尖った先端部分による傷害を低減する効果がある。
【産業上の利用可能性】
【００１０】
串に切り込みを入れることは、技術的には問題が無い。
【符号の説明】
【００１１】
１  既存の串
２  具材
３  安全串
４  先端部分を折るための切り込み
５  先端部分を除いた安全串
６  先端部分
７  使用後、廃棄される安全串
【図１】
0003230361.tif 000003
【図２】
0003230361.tif 000004
【手続補正書】
【提出日】令和2年11月13日(2020.11.13)
【手続補正１】
【補正対象書類名】実用新案登録請求の範囲
【補正対象項目名】全文
【補正方法】変更
【補正の内容】
【実用新案登録請求の範囲】
【請求項１】
具材を刺す際には先端部分は鋭く尖っているが、刺し終わった後には尖った先
端部分を手で簡単に取り除くことができる串であって、この先端部分に切り込みを
入れたことを特徴とする串。
(57)【要約】      （修正有）【課題】楽器との接続部分を保護しつつケーブルを保護しまとめかつ、壁掛けできるシールド・ケーブルとりまとめ器具を提供する。【解決手段】左右に接続したプラスチック製ジャックの上部に壁掛け用のフックを取り付け、下部にケーブル部分をとりまとめできる開閉可能なフックを取り付けることにより、シールド・ケーブルのプラグを保護しつつケーブルをとりまとめ、かつ壁掛けできるようにした。【選択図】図１
0003230362.tif 000002
【実用新案登録請求の範囲】
【請求項１】
楽器との接続部分を保護しつつケーブルを保護しまとめかつ、壁掛けできるようにしたシールド・ケーブルとりまとめ器具
【考案の詳細な説明】
【技術分野】
【０００１】
本考案は、電気楽器のシールド・ケーブルの収納を容易にする器具に関するものである。
【背景技術】
【０００２】
シールド・ケーブルの収納方法として、巻束ねた後自体で結ぶ、結束バンド等を用いて結ぶことが多い。
シールド・ケーブル自体で結ぶ場合、断線などが発生しやすくなる、また、結束バンド等を用いた場合でも楽器との接続部分はむき出しのままになる。
さらに、巻いたシールド・ケーブルを壁に掛けて収納するような場合、市販のフックでは幅が足りず掛け辛い。
【先行技術文献】
【特許文献】
【０００３】
【非特許文献】
【０００４】
【考案の概要】
【考案が解決しようとする課題】
【０００５】
解決しようとする問題点は、収納時にシールド・ケーブル自体に負荷をかける点、および、楽器との接続部分が保護できない点である。
【課題を解決するための手段】
【０００６】
本考案は、楽器との接続部分を保護しつつケーブルを保護しまとめかつ、壁掛けできるようにした点を最も主要な特徴とする。
【考案の効果】
【０００７】
本考案の器具は、楽器接続部分をシールドの固定具と使用しかつ接続部分を保護している。
また器具自体に壁掛けフックの機能を持たせているためケーブルの取りまとめが簡易になる利点がある。
【図面の簡単な説明】
【０００８】
【図１】図１は本案の使用例を示した説明図である。（実施例１）
【図２】図２は本案の設計図である。（実施例２）
【考案を実施するための形態】
【実施例１】
【０００９】
0003230362.tif 000003
【実施例２】
【００１０】
0003230362.tif 000004
【産業上の利用可能性】
【００１１】
楽器接続部分をシールドの固定具と使用しかつ接続部分を保護できる。
また器具自体に壁掛けフックの機能を持たせているためケーブルの取りまとめが簡易になる。
【図１】
0003230362.tif 000005
【図２】
0003230362.tif 000006
【手続補正書】
【提出日】令和2年11月16日(2020.11.16)
【手続補正１】
【補正対象書類名】実用新案登録請求の範囲
【補正対象項目名】全文
【補正方法】変更
【補正の内容】
【実用新案登録請求の範囲】
【請求項１】
左右に接続したプラスチック製ジャックの上部に壁掛け用のフックを下部にケーブル部分をとりまとめできる開閉可能なフックを取り付けることにより、シールド・ケーブルのプラグを保護しつつケーブルをとりまとめ、かつ壁掛けできるようにしたシールド・ケーブルとりまとめ器具
(57)【要約】      （修正有）【課題】薄明かりになったとき、安全のため自身の存在を示すＬＥＤの点滅条件を均一化し、高度に安全性を増すことができるＬＥＤ付き夜光チョッキを提供する。  【解決手段】ＬＥＤ付き夜光チョッキは、明暗センサー２が取り付けられて構成され、ＬＥＤ付き夜光チョッキを着用すると同時に、スイッチ１を入れ、パイロットランプ３の点滅を確認し、その後明暗センサー２がＬＥＤ４の点滅の必要性を認識して、着用者自身の存在を示して、作業中の安全性を高めるものである。【選択図】図１
0003230301.tif 000002
【実用新案登録請求の範囲】
【請求項１】
ｃｄｓで自動点滅するLED付き夜光チョッキ。
【考案の詳細な説明】
【技術分野】
【０００１】
本考案は夕暮れ時等、見通しが悪くなりかけた時、着用者自分の身を守るために、自分の存在を他者に知らしめることに関する。
【背景技術】
【０００２】
従来のLED付き夜光チョッキは夕暮れ時等、見通しが悪くなりかけた時、着用者が自分の判断でスイッチを入れてLEDを光らせるもので、スイッチを入れる個人差があり、又スイッチの入れ忘れをひきおこすものであった。
【先行技術文献】
【非特許文献】
【０００３】
【非特許文献１】「２０２０年度総合カタログ」ｐ１７,(株)ポーター工業
【非特許文献２】「２０２０年度総合カタログ」ｐ３５,(株)ジェイウィン
【考案の概要】
【考案が解決しようとする課題】
【０００４】
本考案は、LED付き夜光チョッキを着用している者のLEDの点滅を、ほぼ同じ条件で点滅させることを目的とする。
【課題を解決するための手段】
【０００５】
上記目的を達成するために、LED付き夜光チョッキに明暗センサー（以後ｃｄｓ）を取り付けることで構成されている。
【考案の効果】
【０００６】
以上の説明からLED付き夜光チョッキに、ｃｄｓを取り付けることで、それを着用している者の判断に関係なくLEDの点滅が始まり、LEDの点滅が必要となった時に点滅が始まるものである。
【図面の簡単な説明】
【０００７】
【図１】LED付き夜光チョッキ斜視図
【考案を実施するための形態】
【０００８】
以下、本考案の実施の形態を図に基づいて説明する。
【実施例１】
【０００９】
１スイッチを入れ、２パイロットランプが点滅して待機状態となったことを確認する。この状態で夕暮れ時等、見通しが悪くなりかけた時、２ｃｄｓが反応している４LEDが点滅して自分の存在を知らしめるものである。又、２ｃｄｓの取り付け位置は太陽光線に対する明暗条件を均一にする為か肩に取り付けるのである。
【産業上の利用可能性】
【００１０】
夕暮れ時等、見通しが悪くなりかけた時、自身の存在を同じ条件で示すことで安全を確実に均一化することができる。
【符号の説明】
【００１１】
１スイッチ
２ｃｄｓ
３パイロットランプ
４LED
【図１】
0003230301.tif 000003
(57)【要約】      （修正有）【課題】人体に裝着するため軽くて丈夫な、雨傘、日傘を取り付ける事の出来る器具を提供する。【解決手段】人体２に容易に着脱出来る器具３であって、ねん着バンド４を備えており、傘１を取り付けることが出来る。【選択図】図１
0003235477.tif 000002
【実用新案登録請求の範囲】
【請求項１】
人体に容易に着脱出来、雨傘、日傘を同考案器具に取り付ける事で今▲迄▼に無い便利なものである。
【考案の詳細な説明】
【考案の概要】
【考案が解決しようとする課題】
【０００１】  雨、日ざしは人体に有害である。
【課題を解決するための手段】
【０００２】  本考案により、有害な雨、日ざしから人体を守もる。
【考案の効果】
【０００３】  人体の為に非常に良いと思う。
【実施例】
【０００４】  私が実際に試作品を作って使って見た。
【図面の簡単な説明】
【０００５】
【図１】考案を装着した正面図
【図２】考案を装着した側面図
【符号の説明】
【０００６】  １．傘
２．人体
３．器具
４．ねん着バンド
【図１】
0003235477.tif 000003
【図２】
0003235477.tif 000004
【手続補正書】
【提出日】令和2年12月10日(2020.12.10)
【手続補正１】
【補正対象書類名】実用新案登録請求の範囲
【補正対象項目名】全文
【補正方法】変更
【補正の内容】
【実用新案登録請求の範囲】
【請求項１】
人体に容易に着脱出来る器具であって、前記器具は、ねん着バンドをそなえており、雨傘、日傘を取付ける事の出来る器具。
(57)【要約】      （修正有）【課題】扇面型の紙をじゃばら状に繋げることによって、多用途に使える冊子を提供する。【解決手段】冊子は、扇面型の表表紙１と裏表紙２間に、中央に折り曲げ部を有する扇面型の複数の中紙３ａ、３ｂが蛇腹状に接着された展開紙の両端が固着され、扇面型の表表紙１と裏表紙２間に展開紙が折り畳み収納され、展開紙の蛇腹展開にて複数の中紙３ａ、３ｂが連結された円形状展開紙が配置される。表表紙１と裏表紙２をじゃばら状に繋げられた中紙３ａ、３ｂと貼り付けることにより扇面型の両面開きとなり、扇面型は末広型で吉祥を感じさせる形であり、広げると円くつながることから「円＝縁」を感じさせる。【選択図】図５
0003235479.tif 000002
【実用新案登録請求の範囲】
【請求項１】
扇面型の表表紙と裏表紙の間に、中央に折り曲げ部を有する扇面型の複数の中紙が蛇腹状に接着された展開紙の両端が固着され、前記扇面型の表表紙と裏表紙に前記展開紙が折り畳み収納され、前記展開紙の蛇腹展開にて前記複数の中紙が連結された円形状展開紙が配置されてなる冊子。
【請求項２】
第１の中紙の折り曲げ部に隣接する第２の中紙の端部を合致させるとともに、前記第１の中紙の端部に前記第２の中紙の折り曲げ部を合致させて、前記第１と第２の中紙が接着されたことを特徴とする請求項１記載の冊子。
【考案の詳細な説明】
【技術分野】
【０００１】  本考案は、紙を蛇腹折して、御朱印帳・アルバム・芳名帳・スケッチブックなどに利用できる冊子に関する。
【背景技術】
【０００２】  特許文献１、２（特許文献１に対応した文献）には、扇型の表紙・裏表紙の間に複数枚の扇型の紙を重ねて綴り合わせたノートブックが記載されている。このノートブックは展開状態で扇型にすることが可能であるが、展開形状は扇形のみであって展開の利用が限定されている。
【先行技術文献】
【特許文献】
【０００３】
【特許文献１】実開昭５３−１３６２３０号（公開実用新案）
【特許文献２】実公昭５９−１４２１７号（公告公報）
【考案の概要】
【考案が解決しようとする課題】
【０００４】  本考案は、御朱印帳・アルバム・スケッチブックなどの多くの記載面が連なったものにおいて、扇面型を活用し、装飾性・美観に優れた冊子を提供したものである。そして本考案は、扇面型の紙を扇子製作以外の用途に使用することに着目したものである。
【課題を解決するための手段】
【０００５】  本考案は、扇面型の表表紙と裏表紙間に、中央に折り曲げ部を有する扇面型の複数の中紙が蛇腹状に接着された展開紙の両端が固着され、前記扇面型の表表紙と裏表紙間に前記展開紙が折り畳み収納され、前記展開紙の蛇腹展開にて前記複数の中紙が連結された円形状展開紙が配置されてなる冊子を提供するものである。さらに本考案は、この冊子において、第１の中紙の折り曲げ部に隣接する第２の中紙の端部を合致させるとともに、前記第１の中紙の端部に前記第２の中紙の折り曲げ部を合致させて、前記第１と第２の中紙が接着された構造を提供する
【考案の効果】
【０００６】  本考案の冊子は、中央部で半分に折り曲げた扇面紙を蛇腹状につなげることによって、御朱印帳・アルバム・芳名帳・スケッチブックなどに使える冊子となる。冊子の中紙は表・裏の両面を使える仕様になり、蛇腹展開すると丸い円形につながる特徴が発揮される。本考案の冊子において扇面型は「末広型」としての吉祥を感じさせ、広げると丸い円形につながることから「円＝縁」を連想させ、使い手の所有感・満足感を高め、芸術性・和の装飾性を感じる冊子となり、様々なシーンでの繋がり・縁を感じられるものとなる。
【図面の簡単な説明】
【０００７】
【図１】本考案の一実施例の扇面型蛇腹折冊子の一部半開き状態の概略斜視図である。
【図２】同冊子の一部展開図である。
【図３】同冊子の中紙接着面説明斜視図である。
【図４】図１の同冊子の見開き展開図である
【図５】同冊子の円形状展開図である。
【考案を実施するための形態】
【０００８】  以下本考案の実施例について説明する。
図１に示す冊子は、厚さ３ｍｍほどの硬質紙よりなり図柄があらわされた扇面型の表表紙１と裏表紙２間に、扇面型の中紙が蛇腹状に連結された記帳用紙３が折り畳み収納されて両端の中紙が接着されている。この冊子は中央部を折り曲げた扇面型の中紙を１２枚使用し、これらの山を交互にして貼り付け、蛇腹状につなげたものを挟み接着し冊子としての形状にしている。図２は図１の冊子の中紙の一部を蛇腹展開した状態を示しており、以下図１の冊子の詳細構造・円形状展開について図２から図５とともに説明する。記帳用紙３を構成する中紙は扇面型を使用し、中央部に折り曲げ部４が設けられており、中紙３ａと隣接する中紙３ｂが図２に示すように連結されて表・裏表紙１・２間に展開される。中紙３ａと３ｂの連結は図３に示すように、中紙３ｂの端部６０ｂ近傍に形成された糊付領域よりなる接着部５０ｂと中紙３ｂ中央折り曲げ部４近傍に形成された糊付領域よりなる接着部５１ｂを貼り合わせ部として用いて中紙３ａと貼り合わされる。接着時の位置合わせは、中紙３ｂの端部６０ｂと中紙３ａの折り曲げ部４、中紙３ｂの中央折り曲げ部４と中紙３ａの端部６１ａを揃え合わせる。同様に中紙３ａの端部６０ａ近傍に形成された糊付領域よりなる接着部５１ａと中紙３ａの中央折り曲げ部４近傍に形成された糊付領域よりなる接着部５０ａを貼り合わせ部として用いて中紙３ｂと貼り合わされる。接着時の位置合わせは、中紙３ａの端部６０ａと中紙３ｂの折り曲げ部４、中紙３ａの中央折り曲げ部４と中紙３ｂの端部６１ｂを揃え合わせる。中紙３ａと３ｂの連結を繰り返すことにより蛇腹状の記帳用紙３を形成する。中紙１２枚は図３のように連結を繰り返し、蛇腹記帳用紙端部の扇面が表・裏表紙１・２の裏側に接着され図１の冊子が完成する。
【０００９】  図３に示す連結構造にて扇面型の中紙が蛇腹状に連結された記帳用紙３の図２の蛇腹展開をさらに進めて見開くと図４に示すように円弧状の見開き状態となり、扇面型の表・裏表紙の端部を合わせると図５の円形状展開が得られる。図５の円形状展開は、中紙３ａが４枚展開されて構成されたものであり、この中紙３ａの裏側には中紙３ｂが接着配置されている。本実施例では図１の１２枚の中紙の内４枚を用いて円形展開しているが、中紙の大きさ・形状に応じて円形展開に使用する中紙の数は４枚以上となることもある。
【００１０】  以上の説明は本考案の一実施形態について説明するものであり、本考案の技術思想を具体化するための例示であって、本考案は以上の実施形態に限定されるものではない。本考案は実用新案登録請求の範囲に示した技術思想に逸脱することなく変更を行ったものにも適用し得るものである。特に実施の形態に記載されている構成部品の寸法・材質・形状は特に指定した記載がない限りは単なる説明に過ぎず。本考案の範囲を限定する趣旨ではない。
【符号の説明】
【００１１】１扇面型の表表紙
２扇面型の裏表紙
３記帳用紙
４中央折り曲げ部
５０ａ，５０ｂ，５１ａ，５１ｂ接着部
６０ａ，６０ｂ，６１ａ，６１ｂ端部
【図１】
0003235479.tif 000003
【図２】
0003235479.tif 000004
【図３】
0003235479.tif 000005
【図４】
0003235479.tif 000006
【図５】
0003235479.tif 000007
(57)【要約】      （修正有）【課題】熱中症対策として暑気から人体を保護するクールネックを提供する。【解決手段】保冷液袋に保冷液２５０ｃｃを挿入したまま６分割し、１ｃｍの間隔あけることにより保冷時間長く担保でき、さらに、首まわりに巻き付ける際、密着させた巻き付けができるクールネックであって、アルミシート・４重構造袋に包にすることにより保冷時間を長くでき家庭用冷蔵庫により繰り返し冷凍保存ができる。綿布地使用の為、通気性に優れ洗濯可能のため、衛生的に使用ができ、装着時の爽快感をえることができる。【選択図】図２
0003235476.tif 000002
【実用新案登録請求の範囲】
【請求項１】
保冷液袋［図１］に保冷液２５０ｃｃを挿入したまま［図２］（１）２５０ｃｃを６分割し、１ｃｍの間隔あけることにより保冷時間長く担保でき、さらに、首まわりに巻き付ける際、密着させた巻き付けができることを特徴とする。
【請求項２】
［図４］アルミシート・４重構造袋に包にすることにより保冷時間を長く担保でき家庭用冷蔵庫より繰り返し冷凍保存ができることを特徴とする。
【請求項３】
［図６］、綿布地使用の為、通気性に優れ本体は洗濯可能のため、衛生面でも繰り返しの使用ができ、装着時の爽快感を得るなどを特徴とする。
【請求項４】
保冷時間を長く担保するために［請求項２］・［請求項３］・［請求項４］・［請求項５］（２）〜（５）を特徴とし、他の保冷剤（市販ジエル）・保冷製品と異なり、冷凍時間の短縮・冷却保冷効果の長時間化を特徴とする。
【考案の詳細な説明】
【技術分野】
【０００１】本考案は暑さ対策の一環として暑気から人体の体温保護を重視したものである。
【背景技術】
【０００２】温暖化による異常気象が発生し、人体に危険な状態を及び、熱中症者が増いる。
【考案の概要】
【考案が解決しようとする課題】
【０００３】暑さ対策とし体温が上昇しすぎる体を防ぎ、それぞれの活動の際の熱中症対策として暑気から人体保護の一環として解決しようとするものである。
【課題を解決するための手段】
【０００４】本考案は暑さ対策の一環として気温３０℃〜３５℃、真夏の暑さから１２０分間、体温保護を目的として首まわりに保冷液・袋（クールネック）を装着することにより、熱中症をやわらげる一環として問題点を解決している。
【考案の効果】
【０００５】本考案の、クールネックは暑さ対策の一環として暑気から人体の首まわりに［図６］クールネックを巻き付けることにより，又は［図７］凹凸テープにより首まわりを固定装着して自身の体温を下げ、人体を保護する効果がある
【図面の簡単な説明】
【０００６】
【図１】  平面図  ホリチューブシートに水道水２５０ｃｃを注入
【図２】  平面図  水道水２５０ｃｃを６分割し１ｃｍの間隔をとる
【図３】  平面図  ２重構造ラッピング加工  縦７ｃｍＸ横５０ｃｍ（厚さ７０μ）
【図４】  平面図  アルミシート３重構造
【図５】  平面図  ４重構造ラッピング加工  縦８ｃｍＸ横５０ｃｍ（厚さ１００μ）
【図６】  平面図  綿布地袋  縦８ｃｍＸ横６０ｃｍ
【図７】  立体図  クールネック
【図１】
0003235476.tif 000003
【図２】
0003235476.tif 000004
【図３】
0003235476.tif 000005
【図４】
0003235476.tif 000006
【図５】
0003235476.tif 000007
【図６】
0003235476.tif 000008
【図７】
0003235476.tif 000009
【手続補正書】
【提出日】令和3年3月11日(2021.3.11)
【手続補正１】
【補正対象書類名】実用新案登録請求の範囲
【補正対象項目名】全文
【補正方法】変更
【補正の内容】
【実用新案登録請求の範囲】
【請求項１】
保冷液袋に保冷液２５０ｃｃを挿入したまま２５０ｃｃを６分割し、１ｃｍの間隔あけることにより保冷時間長く担保でき、さらに、首まわりに巻き付ける際、密着させた巻き付けができることを特徴とするクールネック。
【請求項２】
アルミシート・４重構造袋に包にすることにより保冷時間を長くでき家庭用冷蔵庫より繰り返し冷凍保存ができることを特徴とする請求項１に記載のクールネック。
【請求項３】
綿布地使用の為、通気性に優れ本体は洗濯可能のため、衛生の使用ができ、装着時の爽快感をえることを特徴する請求項１または請求項２の記載のクールネック。
(57)【要約】      （修正有）【課題】ペットボトルのキャップにて、ペットボトル飲み口部分に指を触れることなく、清潔を保ったまま飲めるようにするため、清潔保つ、つば付きキャップを提供する。【解決手段】ペットボトル開閉時、ペットボトル飲み口部分に、指先が接触しないようにするために、キャップ最下部に水平方向に「つば」部材２を設け、さらにキャップ１の最下部分から下向きに円筒形でスカート状の、隔たり「つば」３を設け、ペットボトル飲み口部分に指が接触することを防ぎ、清潔を保つことである。尚、キャップ部分１と「つば」２、３とが一体成形されている。【選択図】図１
0003235406.tif 000002
【実用新案登録請求の範囲】
【請求項１】
ペットボトルより水分摂取する場合に指先に付いたばい菌が飲み口に接触しないように、樹脂製の円筒状本体（キャップ）と下部周囲に配した水平方向に円盤状のつばと、キャップ最下部分から下向きに円筒形でスカート状のつばを２か所設けた、樹脂製のつば部材とからなる、
清潔保つ．つば付きキャップ。
【請求項２】
円筒状本体（キャップ）と下部周囲に配した２か所の、樹脂製のつば部材とが一体成形されていることを特徴とする請求項１記載の、
清潔保つ．つば付きキャップ。
【請求項３】
キャップ最下部に設けた水平方向の円盤状つばとキャップ最下部分から下向きに円筒形でスカート状のつば先端部分とボトル部分との構成は、密着しておりばい菌や水分が侵入しにくくなっている、
清潔保つ．つば付きキャップ。
【考案の詳細な説明】
【技術分野】
【０００１】  本考案は、ペットボトル開閉時、ペットボトル飲み口部分に、指先が接触し清潔を保てなくなるのを防ぎ、安心してペットボトルから水分を摂取できるようにするようにするために考案しました。
【背景技術】
【０００２】  本考案は、ペットボトル開閉時、ペットボトル飲み口部分に、指先が接触し清潔を保てなくなるのを防ぐために、キャップ最下部に水平方向に「つば」部材を設け、またキャップ最下部分から下向きにスカート状の円筒形の、隔たり「つば」を設けることでペットボトル飲み口部分に接触することを防ぎ、清潔を保つことができる、隔たり「つば」を設けました。
【先行技術文献】
【特許文献】
【０００３】
【特許文献１】実登  第３２２１２３０号
【考案の概要】
【考案が解決しようとする課題】
【０００４】  解決しようとする問題点は、ペットボトル開閉時、ペットボトル先端部分に、指先が接触し清潔を保てなくなるのを防ぐことである。
【課題を解決するための手段】
【０００５】    解決するために、ペットボトル開閉時、ペットボトル先端部分に、指先が接触しないようにするために、キャップ最下部に水平方向につば部材を設け、またキャップ最下部分から下向きにスカート状の円筒形の、隔たり「つば」を設けることでペットボトル先端部分に接触することを防ぎ、清潔を保つことである。
【考案の効果】
【０００６】  本考案は、樹脂製の円筒状本体キャップの下部周囲に配した、樹脂製のつば部材とからなり、ペットボトル開閉時、ペットボトル飲み口部分に、指先が接触しないようにするために、キャップ最下部に水平方向に「つば」部材を設けまた、キャップ最下部分から下向きにスカート状で円筒形の、隔たり「つば」を設けることで、清潔を保ったまま安心してペットボトルから水分摂取することである。
【図面の簡単な説明】
【０００７】
【図１】本考案に係る正面断面図である。
【図２】本考案に係る斜視図である。
【考案を実施するための形態】
【０００８】  本考案に係るキャップ側に水平方向の「つば」とスカート状の、隔たり「つば」を設けたことで指がペットボトル先端部分に接触することを防ぎ、清潔を保ち、水分を摂取することである。
【実施例】
【０００９】  樹脂製の円筒状本体（キャップ）下部周囲に配した、樹脂製の２か所のつば部材とからなり構成されていて一体形成されている。【０００１０】
0003235406.tif 000003
その高さは１０〜５０ｍｍである。【０００１１】
0003235406.tif 000004
でありキャップ外周部より持ち運びやすいように、１５〜２５ｍｍ出ている、スカート状のつば部材３との挟角θは、９０〜１７０度である。【０００１２】    また、つば部材３の高さは、１０〜８０ｍｍである。【０００１３】
0003235406.tif 000005
【産業上の利用可能性】
【０００１４】  本考案に係る、清潔保つ．つば付きキャップは、ペットボトル以外に、紙ボトル、ガラスボトル、アルミボトル、スチールボトルにも利用可能なものとする。
【符号の説明】
【０００１５】１．      ペットボトルのキャップである。
２．ペットボトルのキャップ最下側部分に水平に設けた円盤状のツバ部分である。
３．キャップ最下部より下向きに設けた円筒形でスカート状のツバ部分である。
４．ペットボトルであり上部のキャップのスカート先端部分が密着した部分である。
５．ペットボトル本体である。
【図１】
0003235406.tif 000006
【図２】
0003235406.tif 000007
【手続補正書】
【提出日】令和3年9月21日(2021.9.21)
【手続補正１】
【補正対象書類名】実用新案登録請求の範囲
【補正対象項目名】全文
【補正方法】変更
【補正の内容】
【実用新案登録請求の範囲】
【請求項１】
円筒状のキャップと、該キャップに一体連結した水やジュースの液状体を収納するペットボトル本体部において、該キャップが、下部周囲に水平方向のつば部材を配した構造であることを特徴とする、清潔保つ、つば付きキャップ。
【請求項２】
前記、円筒状のキャップの下部周囲に配した、水平方向のつば部材よりスカート状で下向き開き状に先端部がペットボトル本体部に密着するように円筒形のつば部材を取り付けた構造であることを特徴とする請求項１記載の、清潔保つ、つば付きキャップ。
【請求項３】
前記、円筒状のキャップと該キャップの下部周囲に配した、水平方向のつば部材と前記スカート状で下向き開き状に配した円筒型のつば部材とが一体成形されていることを特徴とする請求項１、又は２記載の、清潔保つ、つば付きキャップ。
(57)【要約】      （修正有）【課題】淡水海水問わず大型の魚類を釣ることを目的とし本体自体が回転し新たな波動や飛沫やキャビテーションを起こすルアーを提供する。【解決手段】疑似餌であるルアー本体にネジ状らせん状構造ｇを付与し、その中を長軸方向に貫通する空間を設け、その空間にワイヤーｃを通しワイヤーの前後ｅ、ｆを環状にし前部に糸、後部に針を付け、糸を引くことにより水流を受け本体が回転し既存のルアーにはない波動や飛沫やキャビテーションを生み出すようにした。【選択図】図１
0003235497.tif 000002
【実用新案登録請求の範囲】
【請求項１】
ルアー長軸方向に貫通する穴を持ち、その穴を通るワイヤー状構造を持つルアー本体にネジ状らせん構造が付与してありルアー本体がワイヤーを軸として水流を受け回転する物
【請求項２】
結ばれた糸を介し引かれることにより回転するが、水中、水面など水深は問わない樹脂製もしくは木材、金属などを主体として作られているルアー
【考案の詳細な説明】
【技術分野】
【０００１】  本考案は、釣り用ルアーに属し、本体が回転することによって生み出される波動、飛沫、キャビテーションにより魚を釣る漁具であり、貫通するワイヤー前部には糸を縛る環状構造を持ち、後部には針を付ける環状構造を持つルアーに関する物である
【背景技術】
【０００２】現在、存在するルアーは、本体そのものが回転する物ではなく、付属する金属や樹脂などのブレード状の物や、それ以外の本体部ではないものが回転する物が多い。
その回転する金属などが生み出す波動やフラッシングにより魚を食いつかせることを目的としている（特許文献１参照）。
また、それらの多くは淡水魚や比較的小型の魚を対象としている。
【先行技術文献】
【特許文献】
【０００３】
【特許文献１】実用新案登録第３０９２３０９号
【考案の概要】
【考案が解決しようとする課題】
【０００４】広く一般的に普及している本体部以外の回転する付属部位を持つルアーでは、生み出される波動や飛沫などが、同一構造（付属部位の回転）で生み出される範囲で巻き起こるものであった。また、それらの多くは淡水魚もしくは比較的小型の魚を対象としていた。
【課題を解決するための手段】
【０００５】  本考案のルアーは、内部にルアー長軸に対して貫通する円柱状空間を持ち、その前後の入口部にはベアリングが固定される構造を持つ。ベアリングは必ずしも必須ではない。その貫通空間にワイヤーを通し前後を環状にし、固定をする。その前部には糸を縛り付け後部には針を付ける。
糸を引くことによりルアーは水中もしくは水面を本体の持つネジらせん状構造に水流を受け回転をする。その際に波動や飛沫、キャビテーションを巻き起こす。
【考案の効果】
【０００６】  本考案は、以上説明をしたように、以前の回転構造を持つルアーとは違う新たな波動や、飛沫、キャビテーションを起こし魚に新たな感覚刺激を与え食いつかせることが出来る。その対象は淡水魚や小型魚にとどまらず、海水の大型回遊魚であるツナ類や青物まで釣ることが出来る。
【図面の簡単な説明】
【０００７】
【図１】本考案の実施の形態全体を表す図である
【図２】本考案実の形態図１の内部構造を示す図である。
【図３】本考案のらせん部の形態を示す図である。
【考案を実施するための形態】
【０００８】（実施の形態１）
図１はルアー全体を示す図であるが前半分にらせん構造（図３）を持ち後部に持たない。
しかし、これは一例であり全体に後部までらせん構造を持つ場合や、らせん構造のルアー全体に占める割合が少ない場合も含む。
これ等の形態のルアーの長軸方向内部に貫通する円柱状の構造空間（図２ａ）を持つ。この構造は目的に応じて貫通させるワイヤー（図２ｃ）の太さにより内径を変える。この空間の前後部には必要に応じてベアリングを設置し、設置できる構造を持つ。（図２ｂ）
ルアーには必要があればバランスをとるために錘を配置する。（図２ｄ）錘の有無や配置の部位は生み出したい動きや飛行姿勢による。
ワイヤーの前後は環状構造になり前部（図２ｅ）には糸を後部（図２ｆ）には針を付ける。
【０００９】（実施の形態２）
実施の形態１で示した構造により、糸を前方に引くことにより受ける水流により、らせん構造（図３）を持つルアー本体が回転することによる水面もしくは水中で飛沫や波動、キャビテーションを起こし、魚を食いつかせ針にかけ漁獲できる。これは、ルアーを投げる釣りだけではなく、人が歩くことでルアーを曳いたり、船によるトローリングでも同様である。
【産業上の利用可能性】
【００１０】  本考案で新たな魚の釣法としてルアー釣りや、引き縄による漁業にも適用可能である。
【符号の説明】
【００１１】ａ  内部を貫通するワイヤーが通る空間
ｂ  ベアリング設置部位（必要である場合）
ｃ  貫通するワイヤー
ｄ  錘
ｅ  ワイヤーに糸を結ぶ為の環状構造
ｆ  ワイヤーに針を付ける為の環状構造
ｇ  らせん構造
【図１】
0003235497.tif 000003
【図２】
0003235497.tif 000004
【図３】
0003235497.tif 000005
【手続補正書】
【提出日】令和3年9月18日(2021.9.18)
【手続補正１】
【補正対象書類名】実用新案登録請求の範囲
【補正対象項目名】全文
【補正方法】変更
【補正の内容】
【実用新案登録請求の範囲】
【請求項１】
ルアー長軸方向に貫通する穴を持ち、その穴を通るワイヤー状構造を持つルアー本体にネジ状らせん構造が付与してありルアー本体がワイヤーを軸として水流を受け回転する物。
【請求項２】
結ばれた糸を介し引かれることにより回転するが、水中、水面など水深は問わない樹脂製もしくは木材、金属などを主体として作られている請求項１記載の物。
(57)【要約】      （修正有）【課題】硬貨を投入し続けることで次第に模様が形成され、最終的にはインテリアとして鑑賞できるため、貯金をするという目的に加え、模様を完成させるという目的も生じ、より継続的に貯金をすることが可能となる貯金箱を提供する。【解決手段】貯金箱は、厚紙の台紙に硬貨４の投入口と、ある模様にくり抜いた硬貨４と同じ厚さの厚紙を接着し、さらにその上にアクリル板を接着する。これにより、投入した硬貨４はくり抜いた隙間に溜まっていき模様を形成しインテリアとして鑑賞もできる。【選択図】図２
0003235500.tif 000002
【実用新案登録請求の範囲】
【請求項１】
台紙に、硬貨の投入口と、ある模様にくり抜いた硬貨と同じ厚さの厚紙を接着し、さらにその上にアクリル板を接着した貯金箱
【考案の詳細な説明】
【技術分野】
【０００１】    本考案は、硬貨を投入し続けていくことで、貯金ができるだけでなく、貯まった後は模様となり、インテリアとしても鑑賞できる貯金箱に関するものである。
【背景技術】
【０００２】    従来、貯金箱とは現金を貯めることに特化した容器である。
【考案の概要】
【考案が解決しようとする課題】
【０００３】    現金を貯めるのに有効な貯金箱だが、現金を貯金箱に入れるだけの単調な行動は飽きが生じ、貯金が続かない場合がある。
【課題を解決するための手段】
【０００４】    本考案は、従来の貯めるだけに特化した貯金箱から、硬貨を投入し続けることで、予めくり抜かれた模様に形成され、最終的にはインテリアとしても鑑賞することが可能となる。
【考案の効果】
【０００５】    上述のように、硬貨を投入し続けることで次第に模様が形成され、最終的にはインテリアとして鑑賞できるため、貯金をするという目的に加え、模様を完成させるという目的も生じ、より継続的に貯金をすることが可能となる。
【図面の簡単な説明】
【０００６】
【図１】本考案の貯めると模様になる貯金箱の構造を表した図である。
【図２】本貯金箱の一実施例を示した図である。
【考案を実施するための形態】
【０００７】    本貯金箱は、厚紙の台紙に硬貨の投入口と、ある模様にくり抜いた硬貨と同じ厚さの厚紙を接着し、さらにその上にアクリル板を接着した貯金箱である。
【実施例】
【０００８】    以下、添付図面に従って一実施例を説明する。図１の１は厚紙で形成された台紙である。２は１と同じサイズで硬貨と同じ厚さの厚紙に、硬貨の投入口と、ある模様にくり抜いて１と接着したものである。３は１、２と同じサイズで２と接着したアクリル板である。図２の４は硬貨である。図２のように硬貨を投入口から投入していくことで模様が形成される。
【符号の説明】
【０００９】    １  厚紙の台紙
２  硬貨の投入口と、ある模様にくり抜いた硬貨と同じ厚さの厚紙
３  台紙、硬貨と同じ厚さの厚紙と同じサイズのアクリル板
４  硬貨
【図１】
0003235500.tif 000003
【図２】
0003235500.tif 000004